(57)【要約】      （修正有）【課題】おにぎり収容室を画成する第１容器と第２容器とを簡易に連結できると共に、不使用時の食器棚等への収納や持ち運びが容易なおにぎりケース群を提供する。【解決手段】おにぎりケース群は、上側容器２と、当該上側容器と共におにぎり収容室を画成する下側容器とを有する複数のおにぎりケースから構成される。上側容器は、第１開口縁１２と、当該第１開口縁から延出する係止片１３，１３とを有する。下側容器は、第１開口縁に嵌合する第２開口縁と、各係止片をそれぞれ係止する複数の係止爪とを有する。複数のおにぎりケースは、互いに大きさが異なると共に、最大のおにぎりケース内にその他のおにぎりケースを入れ子状に収容可能な構成とする。【選択図】図１
0003154413.tif 000002
【実用新案登録請求の範囲】
【請求項１】
第１容器と、当該第１容器と共におにぎり収容室を画成する第２容器とをそれぞれ有する複数のおにぎりケースから構成されるおにぎりケース群であって、
前記第１容器は、その開口を画成する第１開口縁と、当該第１開口縁から延出する複数の係止片とを有し、
前記第２容器は、その開口を画成すると共に前記第１開口縁に嵌合する第２開口縁と、前記各係止片をそれぞれ係止する複数の係止爪とを有し、
前記複数のおにぎりケースは、互いに大きさが異なると共に、最大のおにぎりケース内にその他のおにぎりケースを入れ子状に収容可能であることを特徴とするおにぎりケース群。
【請求項２】
前記第１開口縁は、三角形状を呈し、
前記係止片は、前記第１開口縁において前記三角形状を画成する三辺のうちの二辺に１つずつ設けられると共に、当該２つの係止片が、互いにより離間される方向に、前記二辺における各中点から一方側に偏って配置されていることを特徴とする、請求項１に記載のおにぎりケース群。
【請求項３】
前記複数のおにぎりケースは、前記第１容器と前記第２容器との少なくとも一方に、前記おにぎり収容室に収容可能な飯のカロリーが表示されていることを特徴とする、請求項１または請求項２に記載のおにぎりケース群。
【考案の詳細な説明】
【技術分野】
【０００１】
本考案は、おにぎりを個別に収容可能な複数のおにぎりケースから構成されるおにぎりケース群に関する。
【背景技術】
【０００２】
従来、おにぎりを簡単に成型することができると共に、その成型したおにぎりを型くずれさせることなく安定した状態で持ち運びできるおにぎりケースが開発されている。例えば、下方開口状の上容器体と、上方開口状の下容器体とが、上下略中間高さで分離可能として合わされるおにぎりケースであって、上容器体および下容器体の開口端にそれぞれ薄肉部を形成し、当該薄肉部同士を嵌合した状態で、連結部材にて上容器体と下容器体とが連結保持されるものが知られている（特許文献１参照）。
【先行技術文献】
【特許文献】
【０００３】
【特許文献１】実開平７−１８５９１号公報
【考案の概要】
【考案が解決しようとする課題】
【０００４】
しかしながら、上記従来のおにぎりケースでは、使用者は、上容器体および下容器体を連結するための連結部材として、輪ゴム等の弾性リング紐を別途準備しなければならないという不都合があった。また、不使用時におにぎりケースを食器棚等に収納したり、持ち運びしたりする場合には、複数のおにぎりケースがばらばらになって取り扱い難いという不都合もあった。
【０００５】
本考案は、このような従来技術の課題を鑑みて案出されたものであり、おにぎり収容室を画成する第１容器と第２容器とを簡易に連結できると共に、不使用時に食器棚等への収納や持ち運びが容易なおにぎりケース群を提供することを目的とする。
【課題を解決するための手段】
【０００６】
上記課題を解決するためになされた第１の考案は、第１容器と、当該第１容器と共におにぎり収容室を画成する第２容器とをそれぞれ有する複数のおにぎりケースから構成されるおにぎりケース群であって、前記第１容器は、その開口を画成する第１開口縁と、当該第１開口縁から延出する複数の係止片とを有し、前記第２容器は、その開口を画成すると共に前記第１開口縁に嵌合する第２開口縁と、前記各係止片をそれぞれ係止する複数の係止爪とを有し、前記複数のおにぎりケースは、互いに大きさが異なると共に、最大のおにぎりケース内にその他のおにぎりケースを入れ子状に収容可能である構成とする。
【０００７】
また、第２の考案として、前記第１開口縁は、三角形状を呈し、前記係止片は、前記第１開口縁において前記三角形状を画成する三辺のうちの二辺に１つずつ設けられると共に、当該２つの係止片が、互いにより離間される方向に、前記二辺における各中点から一方側に偏って配置されている構成とすることができる。
【０００８】
また、第３の考案として、前記複数のおにぎりケースは、前記第１容器と前記第２容器との少なくとも一方に、前記おにぎり収容室に収容可能な飯のカロリーが表示されている構成とすることができる。
【考案の効果】
【０００９】
上記第１の考案によれば、おにぎり収容室を画成する第１容器と第２容器とを、係止片と係止爪とによって簡易に連結できると共に、最も大きいおにぎりケース内にその他のおにぎりケースを入れ子状にコンパクトに収容することにより、不使用時の食器棚等への収納や持ち運びが容易となる。また、上記第２の考案によれば、第１容器と第２容器とを簡易な構成により安定的に連結することが可能となる。また、上記第３の考案によれば、使用者はカロリー表示に応じて適当な大きさのおにぎりケースを選択することが可能となる。
【図面の簡単な説明】
【００１０】
【図１】実施形態に係るおにぎりケースの上側容器の（Ａ）底面図、（Ｂ）正面図、（Ｃ）側面図、及び（Ｄ）平面図である。
【図２】実施形態に係るおにぎりケースの下側容器の（Ａ）底面図、（Ｂ）正面図、（Ｃ）側面図、及び（Ｄ）平面図である。
【図３】実施形態に係るおにぎりケースの組立状態を示す断面図である。
【図４】実施形態に係るおにぎりケースにおけるカロリー表示の一例を示す図である。
【図５】実施形態に係るおにぎりケース群の平面図である。
【考案を実施するための形態】
【００１１】
以下、本考案の実施形態に係る複数のおにぎりケースから構成されるおにぎりケース群について図面を参照しながら説明する。
【００１２】
図１〜図２に示すように、おにぎりケース１は、いわゆる三角形のおにぎり（図示せず）を個別に収容するものであり、その上半分を形成する上側容器２と、その下半分を形成し、上側容器２と共におにぎりが収容されるおにぎり収容室Ｖ（図３参照）を画成する下側容器３とを備える。上側容器２と下側容器３とは、おにぎりケースの略中間高さで半割した有底の三角筒状を呈する。
【００１３】
上側容器２は、図１に示すように、その底部に形成された略三角形状の開口１１を画成する開口縁１２を有する。また、上側容器２は、開口縁１２から外側に向けて開口縁１２に直交する方向にそれぞれ延出する２つの係止片１３，１３を有する。
【００１４】
係止片１３，１３は、開口縁１２との連結部１３ａを支点として底側（すなわち、図３に示す連結状態における下側容器３側）に回動自在に設けられている。また、係止片１３，１３は、開口縁１２を画成する三辺１２ａ〜１２ｃ（図１（Ａ）参照）のうちの二辺１２ａ，１２ｂに１つずつ設けられる。
【００１５】
下側容器３は、図２に示すように、その上部に形成され、上側容器２の開口１１と略同一形状の開口２１を画成する開口縁２２を有する。また、下側容器３は、上側容器２の係止片１３，１３に対応する位置に、その側面から突設された係止爪２３，２３を有する。上側容器２と下側容器３とが連結される際には、係止片１３，１３が回動することにより、係止爪２３，２３は、係止片１３，１３に形成された係止孔１５に挿入され、その係止孔１５の周縁を係止する。これにより、上側容器２と下側容器３とを簡易かつ安定的に連結することができる。
【００１６】
なお、２つの係止片１３，１３（係止爪２３，２３も同様）は、互いにより離間される方向に、二辺１２ａ，１２ｂにおける各中点Ｃａ，Ｃｂから一方側に偏って配置されている。特に、係止片１３，１３は、その中心位置が各辺１２ａ，１２ｂにおける一端側から１／３の位置に配置されるようにするとよく、これにより、係止片１３，１３と係止爪２３，２３とから構成される２組の係合部のみを用いて、上側容器２と下側容器３とをより安定的に連結することが可能となる。
【００１７】
ここで、図３に示すように、上側容器２の開口縁１２は、その内周面側が下側容器３の開口縁２２の厚さ分だけ切り欠かれて薄肉化されている。一方、下側容器３の開口縁２２は、その外周面側が上側容器２の開口縁１２の厚さ分だけ切り欠かれて薄肉化されている。このような構成により、下側容器３の開口縁２２は上側容器２の開口縁２２の内側に嵌合可能となっている。
【００１８】
また、図４に示すように、下側容器３の底面には、おにぎり収容室Ｖに収容可能な飯（白米で具を除いたもの）のカロリー（ここでは、320kcal）の表示部２５を有する。これにより、使用者はおにぎりケース１に収容されたおにぎりのカロリーの目安を知ることができる。
【００１９】
本考案の実施形態に係るおにぎりケース群３０は、図５に示すように、最大サイズとなる上述のおにぎりケース１（以下、大サイズのおにぎりケース１という。）と、その内部に入れ子状に収容可能な中サイズのおにぎりケース１０１および小サイズのおにぎりケース２０１とから構成される。このような入れ子状にコンパクトに収容される構成により、おにぎりケース群３０は、不使用時の食器棚等への収納や持ち運びが容易となる。
【００２０】
中サイズのおにぎりケース１０１および小サイズのおにぎりケース２０１は、大サイズのおにぎりケース１と同様の構成を有し、その本体（すなわち、おにぎり収容室を画成する部位）は、大サイズのおにぎりケース１の本体と略相似である。また、中サイズのおにぎりケース１０１および小サイズのおにぎりケース２０１は、大サイズのおにぎりケース１と同一形状の係止片１３，１３および係止爪２３，２３を有し、それらの配置関係も大サイズのおにぎりケース１の場合と同様である。また、図示は省略するが、中サイズのおにぎりケース１０１および小サイズのおにぎりケース２０１の下側容器には、大サイズおにぎりケース１と同様にカロリー（例えば、中サイズのおにぎりケース１０１は230kcal、小サイズのおにぎりケース２０１は150kcal）が表示されている。これにより、使用者はカロリー表示に応じて適当な大きさのおにぎりケースを選択することが可能となる。
【００２１】
本考案を特定の実施形態に基づいて詳細に説明したが、これらの実施形態はあくまでも例示であって、本考案はこれらの実施形態によって限定されるものではない。例えば、おにぎりケース群を構成するおにぎりケースは、実施形態の場合のように必ずしも三角形の断面を有する必要はなく、他の形状でもよい。また、本発明に係るおにぎりケースは、収容するおにぎりの成型に利用することも可能である。また、カロリーの表示部は、使用者から見やすい位置であれば下側容器の任意の位置に配置することができ、場合によっては上側容器に設けてもよい。また、おにぎりケース群を構成する大きさの異なる複数のおにぎりケースの大きさは、少なくとも互いに入れ子状に収容可能である限りにおいて、種々の変更が可能である。
【符号の説明】
【００２２】
１  ケース
２  上側容器（第１容器）
３  下側容器（第２容器）
１２  開口縁（第１開口縁）
１３  係止片
１５  係止孔
２２  開口縁（第２開口縁）
２３  係止爪
３０  ケース群
１０１  ケース
２０１  ケース
Ｃａ，Ｃｂ  中点
Ｖ  おにぎり収容室
【図１】
0003154413.tif 000003
【図２】
0003154413.tif 000004
【図３】
0003154413.tif 000005
【図４】
0003154413.tif 000006
【図５】
0003154413.tif 000007